(57)【要約】  オスコネクタは、メスコネクタと接続可能であって、延在方向の一端部に開口を有する流路管部材と、流路管部材の開口を閉鎖する弁体と、ハウジング本体と、ハウジング本体に対して移動し開口が弁体に閉鎖される第１形態と開口が弁体から開放される第２形態との間で形態を変化するように弁体を変形等させる移動体とを備え、移動体が、弁体とメスコネクタの弾性弁体とが当接した状態でメスコネクタを係止する係止部を備え、ハウジング本体及び移動体のうちいずれか一方が、係止部がメスコネクタを係止している状態のまま、第１形態に維持するように他方の移動を規制する規制位置と、第１形態から第２形態へ変化するように他方の移動を許容する許容位置との間で変位可能な切り替え部を備える。
2018056465.tif 000002
【特許請求の範囲】
【請求項１】
弾性弁体を備えるメスコネクタと接続可能なオスコネクタであって、
中空部を区画するハウジングと、
前記中空部内に延在し、延在方向の一端部に開口を有する流路管部材と、
前記中空部内に位置し、前記流路管部材の前記開口を閉鎖する弁体と、を備え、
前記ハウジングは、ハウジング本体と、前記ハウジング本体に対して移動し、前記流路管部材の前記開口が前記弁体に閉鎖される第１形態と、前記流路管部材の前記開口が前記弁体から開放される第２形態との間で形態を変化するように前記弁体を変形又は移動させる移動体と、を備え、
前記移動体は、前記弁体と前記メスコネクタの前記弾性弁体とが当接して当接領域を形成した状態で前記メスコネクタを係止する係止部を備え、
前記ハウジング本体及び前記移動体のうち少なくともいずれか一方は、前記係止部が前記メスコネクタを係止している状態のまま、前記第１形態に維持するように他方の移動を規制する規制位置と、前記第１形態から前記第２形態へ変化するように前記他方の移動を許容する許容位置と、の間で変位可能な切り替え部を備えるオスコネクタ。
【請求項２】
前記係止部を第１係止部とした場合に、前記切り替え部は、前記規制位置で前記他方を係止する第２係止部を含み、前記第２係止部による前記他方の係止と係止解除とを切り替えることで前記第１形態と前記第２形態との間で形態を変化させることができる、請求項１に記載のオスコネクタ。
【請求項３】
前記第２係止部は、前記他方に設けられた凹部に嵌合する凸部を含む、請求項２に記載のオスコネクタ。
【請求項４】
前記ハウジング本体の内周壁には雌ねじ部が形成され、
前記移動体は、外周壁に形成された雄ねじ部が前記雌ねじ部と螺合することにより、前記ハウジング本体に対して移動する、請求項２又は３に記載のオスコネクタ。
【請求項５】
前記雄ねじ部を第１雄ねじ部とし、前記雌ねじ部を第１雌ねじ部とした場合に、前記移動体の内周壁には第２雌ねじ部が形成され、前記メスコネクタの外周壁には前記第２雌ねじ部と螺合可能な第２雄ねじ部が形成され、
前記第１係止部は、前記第２雌ねじ部を含む、請求項４に記載のオスコネクタ。
【請求項６】
前記移動体が前記ハウジング本体に対して所定の向きに回転することで前記第１雄ねじ部と前記第１雌ねじ部との螺合によって前記移動体が移動する方向と、前記メスコネクタが前記移動体に対して前記所定の向きに回転することで前記第２雄ねじ部と前記第２雌ねじ部との螺合によって前記メスコネクタが移動する方向とは、同一である、請求項５に記載のオスコネクタ。
【請求項７】
前記弁体は、前記第２形態における前記移動体を、復元力により前記第１形態となるように付勢する、請求項１から６のいずれか一項に記載のオスコネクタ。
【請求項８】
前記弁体は、前記流路管部材の前記開口を含む前記一端部を覆い、
前記第１形態では前記流路管部材が前記弁体を貫通せず、前記第２形態では前記流路管部材が前記弁体を貫通する、請求項１から７のいずれか一項に記載のオスコネクタ。
【請求項９】
弾性弁体を備えるメスコネクタと接続可能なオスコネクタであって、
中空部を区画するハウジングと、
前記中空部内に延在し、延在方向の一端部に開口を有する流路管部材と、
前記中空部内に位置し、前記流路管部材の前記開口を閉鎖する弁体と、を備え、
前記ハウジングは、ハウジング本体と、前記ハウジング本体に対して移動し、前記流路管部材の前記開口が前記弁体に閉鎖される第１形態と、前記流路管部材の前記開口が前記弁体から開放される第２形態との間で形態を変化するように前記弁体を変形又は移動させる移動体と、を備え、
前記第１形態で、前記弁体と前記メスコネクタの前記弾性弁体とが当接して当接領域を形成した状態のまま、前記第１形態から前記第２形態へ変化するように前記移動体を移動させて、前記流路管部材に前記当接領域を通じて前記弁体及び前記弾性弁体を貫通させることを特徴とするオスコネクタ。
【請求項１０】
弾性弁体を備えるメスコネクタと接続可能なオスコネクタであって、
中空部を区画するハウジングと、
前記中空部内に延在し、延在方向の一端部に開口を有する流路管部材と、
前記中空部内に位置し、前記流路管部材の前記開口を閉鎖する弁体と、を備え、
前記ハウジングは、ハウジング本体と、前記ハウジング本体に対して移動し、前記流路管部材の前記開口が前記弁体に閉鎖される第１形態と、前記流路管部材の前記開口が前記弁体から開放される第２形態との間で形態を変化するように前記弁体を変形又は移動させる移動体と、を備え、
前記第２形態で、前記弁体と前記メスコネクタの前記弾性弁体とが当接して当接領域を形成した状態のまま、前記第２形態から前記第１形態へ変化するように前記移動体を移動させて、前記流路管部材に前記当接領域を通じて前記弾性弁体から抜去させることを特徴とするオスコネクタ。
【請求項１１】
請求項１から１０のいずれか一項に記載のオスコネクタを備えることを特徴とする医療器具。
【請求項１２】
弾性弁体を備えるメスコネクタと、オスコネクタとの接続方法であって、
前記オスコネクタは、中空部を区画するハウジングと、前記中空部内に延在し、延在方向の一端部に開口を有する流路管部材と、前記中空部内に位置し、前記流路管部材の前記開口を閉鎖する弁体と、を備え、
前記ハウジングは、ハウジング本体と、前記ハウジング本体に対して移動し、前記流路管部材の前記開口が前記弁体に閉鎖される第１形態と、前記流路管部材の前記開口が前記弁体から開放される第２形態との間で形態を変化するように前記弁体を変形又は移動させる移動体と、を備え、
前記第１形態で、前記弁体と前記メスコネクタの前記弾性弁体とが当接して当接領域を形成した状態として、前記移動体により前記メスコネクタを係止させることと、
前記移動体が前記メスコネクタを係止している状態のまま、前記第１形態から前記第２形態へ変化するように前記移動体を移動させて、前記流路管部材に前記当接領域を通じて前記弁体及び前記弾性弁体を貫通させることと、
を含む接続方法。
【発明の詳細な説明】
【技術分野】
【０００１】
本開示は、オスコネクタ、オスコネクタを備える医療器具、及びオスコネクタとメスコネクタとの接続方法に関する。
【背景技術】
【０００２】
患者に輸液を行う際には、薬液等の流体を輸送するための経路（輸液ライン）を形成する必要がある。輸液ラインは、一般に、輸液チューブや各種医療器具などを接続することによって形成される。また、患者に投与する薬液等の流体を薬液バッグに注入する際には、薬液バッグとシリンジ等とを接続する必要がある。このように、異なる部材を着脱可能に相互接続するためにオスコネクタやメスコネクタが使用されている。【０００３】
薬液の中には、例えば抗癌剤のような劇薬に指定された薬剤を含む薬液があり、医療従事者は、オスコネクタやメスコネクタの着脱作業時等において、このような危険な薬液などの流体が指などに付着することがないように、十分に注意を払う必要がある。【０００４】
特許文献１には、中空部を区画するハウジングと、中空部の遠位端に配置されてハウジングを封止する移動可能な第１移動膜（弁体）と、中空部内で延在したカニューレと、中空部内で移動膜を遠位端に向けて付勢する付勢部と、備え、自然状態ではカニューレ先端（遠位端）が第１移動膜のスリット内に位置する送出装置（オスコネクタ）が開示されている。特許文献１の開示によると、レシーバ装置（メスコネクタ）の第２移動膜（弁体）によって第１移動膜が遠位端側から近位端側に押されると、第１移動膜と第２移動膜とが接触した状態でカニューレ先端からの流体（薬液）の流出を抑制しながら、カニューレ先端がスリットを通り抜けて第２移動膜を貫通し、レシーバ装置のハウジングに連通する。
【先行技術文献】
【特許文献】
【０００５】
【特許文献１】米国特許第８１５７７８４号公報
【発明の概要】
【発明が解決しようとする課題】
【０００６】
しかしながら、特許文献１に記載のオスコネクタから、メスコネクタを例えば素早く抜去した場合には、カニューレ先端が第１移動膜のスリット内に戻る前に第１移動膜と第２移動膜とが離れ、カニューレ先端から流体が外部に漏れ出すおそれがあるという問題があった。【０００７】
本開示の目的は、上記問題に鑑み、接続されたメスコネクタが抜去される際に、薬液等の流体が外部に漏れ出すことを抑制できるオスコネクタ、このオスコネクタを備える医療器具、及びこのオスコネクタとメスコネクタとの接続方法を提供することである。
【課題を解決するための手段】
【０００８】
本発明の第１の態様としてのオスコネクタは、弾性弁体を備えるメスコネクタと接続可能なオスコネクタであって、中空部を区画するハウジングと、前記中空部内に延在し、延在方向の一端部に開口を有する流路管部材と、前記中空部内に位置し、前記流路管部材の前記開口を閉鎖する弁体と、を備え、前記ハウジングが、ハウジング本体と、前記ハウジング本体に対して移動し、前記流路管部材の前記開口が前記弁体に閉鎖される第１形態と、前記流路管部材の前記開口が前記弁体から開放される第２形態との間で形態を変化するように前記弁体を変形又は移動させる移動体と、を備え、前記移動体が、前記弁体と前記メスコネクタの前記弾性弁体とが当接して当接領域を形成した状態で前記メスコネクタを係止する係止部を備え、前記ハウジング本体及び前記移動体のうち少なくともいずれか一方が、前記係止部が前記メスコネクタを係止している状態のまま、前記第１形態に維持するように他方の移動を規制する規制位置と、前記第１形態から前記第２形態へ変化するように前記他方の移動を許容する許容位置と、の間で変位可能な切り替え部を備える。【０００９】
本発明の一実施形態としてのオスコネクタは、前記係止部を第１係止部とした場合に、前記切り替え部が、前記規制位置で前記他方を係止する第２係止部を含み、前記第２係止部による前記他方の係止と係止解除とを切り替えることで前記第１形態と前記第２形態との間で形態を変化させることができる。【００１０】
本発明の一実施形態としてのオスコネクタは、前記第２係止部が、前記他方に設けられた凹部に嵌合する凸部を含む。【００１１】
本発明の一実施形態としてのオスコネクタは、前記ハウジング本体の内周壁には雌ねじ部が形成され、前記移動体が、外周壁に形成された雄ねじ部が前記雌ねじ部と螺合することにより、前記ハウジング本体に対して移動する。【００１２】
本発明の一実施形態としてのオスコネクタは、前記雄ねじ部を第１雄ねじ部とし、前記雌ねじ部を第１雌ねじ部とした場合に、前記移動体の内周壁には第２雌ねじ部が形成され、前記メスコネクタの外周壁には前記第２雌ねじ部と螺合可能な第２雄ねじ部が形成され、前記第１係止部が、前記第２雌ねじ部を含む。【００１３】
本発明の一実施形態としてのオスコネクタは、前記移動体が前記ハウジング本体に対して所定の向きに回転することで前記第１雄ねじ部と前記第１雌ねじ部との螺合によって前記移動体が移動する方向と、前記メスコネクタが前記移動体に対して前記所定の向きに回転することで前記第２雄ねじ部と前記第２雌ねじ部との螺合によって前記メスコネクタが移動する方向とが、同一である。【００１４】
本発明の一実施形態としてのオスコネクタは、前記弁体が、前記第２形態における前記移動体を、復元力により前記第１形態となるように付勢する。【００１５】
本発明の一実施形態としてのオスコネクタは、前記弁体が、前記流路管部材の前記開口を含む前記一端部を覆い、前記第１形態では前記流路管部材が前記弁体を貫通せず、前記第２形態では前記流路管部材が前記弁体を貫通する。【００１６】
本発明の一実施形態としてのオスコネクタは、弾性弁体を備えるメスコネクタと接続可能なオスコネクタであって、中空部を区画するハウジングと、前記中空部内に延在し、延在方向の一端部に開口を有する流路管部材と、前記中空部内に位置し、前記流路管部材の前記開口を閉鎖する弁体と、を備え、前記ハウジングが、ハウジング本体と、前記ハウジング本体に対して移動し、前記流路管部材の前記開口が前記弁体に閉鎖される第１形態と、前記流路管部材の前記開口が前記弁体から開放される第２形態との間で形態を変化するように前記弁体を変形又は移動させる移動体と、を備え、前記第１形態で、前記弁体と前記メスコネクタの前記弾性弁体とが当接して当接領域を形成した状態のまま、前記第１形態から前記第２形態へ変化するように前記移動体を移動させて、前記流路管部材に前記当接領域を通じて前記弁体及び前記弾性弁体を貫通させる。【００１７】
本発明の一実施形態としてのオスコネクタは、弾性弁体を備えるメスコネクタと接続可能なオスコネクタであって、中空部を区画するハウジングと、前記中空部内に延在し、延在方向の一端部に開口を有する流路管部材と、前記中空部内に位置し、前記流路管部材の前記開口を閉鎖する弁体と、を備え、前記ハウジングが、ハウジング本体と、前記ハウジング本体に対して移動し、前記流路管部材の前記開口が前記弁体に閉鎖される第１形態と、前記流路管部材の前記開口が前記弁体から開放される第２形態との間で形態を変化するように前記弁体を変形又は移動させる移動体と、を備え、前記第２形態で、前記弁体と前記メスコネクタの前記弾性弁体とが当接して当接領域を形成した状態のまま、前記第２形態から前記第１形態へ変化するように前記移動体を移動させて、前記流路管部材に前記当接領域を通じて前記弾性弁体から抜去させる。【００１８】
本発明の第２の態様としての医療器具は、前記オスコネクタを備える。【００１９】
本発明の第３の態様としての接続方法は、弾性弁体を備えるメスコネクタと、オスコネクタとの接続方法であって、前記オスコネクタが、中空部を区画するハウジングと、前記中空部内に延在し、延在方向の一端部に開口を有する流路管部材と、前記中空部内に位置し、前記流路管部材の前記開口を閉鎖する弁体と、を備え、前記ハウジングが、ハウジング本体と、前記ハウジング本体に対して移動し、前記流路管部材の前記開口が前記弁体に閉鎖される第１形態と、前記流路管部材の前記開口が前記弁体から開放される第２形態との間で形態を変化するように前記弁体を変形又は移動させる移動体と、を備え、前記第１形態で、前記弁体と前記メスコネクタの前記弾性弁体とが当接して当接領域を形成した状態として、前記移動体により前記メスコネクタを係止させることと、前記移動体が前記メスコネクタを係止している状態のまま、前記第１形態から前記第２形態へ変化するように前記移動体を移動させて、前記流路管部材に前記当接領域を通じて前記弁体及び前記弾性弁体を貫通させることと、を含む。
【発明の効果】
【００２０】
本開示のオスコネクタ、このオスコネクタを備える医療器具、及びこのオスコネクタとメスコネクタとの接続方法によれば、接続されたメスコネクタが抜去される際に、薬液等の流体が外部に漏れ出すことを抑制できる。
【図面の簡単な説明】
【００２１】
【図１】第１実施形態に係るオスコネクタ及びメスコネクタを示す側面図である。
【図２】図１のＩ−Ｉ線に沿う断面図である。
【図３】図２のＡ−Ａ線に沿う断面図である。
【図４】図１に示すオスコネクタ及びメスコネクタの第１接続状態を示す断面図である。
【図５】図１に示すオスコネクタ及びメスコネクタの第２接続状態を示す断面図である。
【図６】図１に示すオスコネクタの変形例を示す断面図である。
【図７】図６のＢ−Ｂ線に沿う断面図である。
【図８】図１に示すオスコネクタのハウジング本体の他の変形例を示す断面図である。
【図９】第２実施形態に係るオスコネクタ及びメスコネクタを示す断面図である。
【図１０】図９に示すオスコネクタ及びメスコネクタの第１接続状態を示す断面図である。
【図１１】図９に示すオスコネクタ及びメスコネクタの第２接続状態を示す断面図である。
【図１２】第３実施形態に係るオスコネクタ及びメスコネクタを示す断面図である。
【図１３】図１２に示すオスコネクタ及びメスコネクタの第１接続状態を示す断面図である。
【図１４】図１２に示すオスコネクタ及びメスコネクタの第２接続状態を示す断面図である。
【図１５】第４実施形態としての、図１に示すオスコネクタを備える輸液チューブセット（医療器具）を示す図である。
【発明を実施するための形態】
【００２２】
以下、各実施形態に係る医療器具について、図面を参照して説明する。各図において共通の部材には、同一の符号を付している。
【００２３】
（第１実施形態）
図１は、第１実施形態に係るオスコネクタ１ａ及びメスコネクタ２ａを示す側面図であり、図２は、図１のＩ−Ｉ線に沿う断面図である。図１及び図２に示すオスコネクタ１ａ及びメスコネクタ２ａは、相互に接続される前（非接続接続）の各々単体の状態を示している。以下、各実施形態に係るオスコネクタ及びメスコネクタにおいて、輸液ラインにて薬液等の流体の流路下流側（図１の上方）となる一端側を「遠位端」側、輸液ラインにて流体の流路上流側（図１の下方）となる他端側を「近位端」側と記載する。
【００２４】
図１及び図２に示すように、オスコネクタ１ａは、ハウジング１０ａと、流路管部材４０ａと、弁体５０ａと、を備えている。ハウジング１０ａは、中空部１１を区画しており、流路管部材４０ａは、中空部１１内に延在すると共に延在方向の遠位端側の一端部に開口４２を有し、弁体５０ａは、中空部１１内に位置すると共に流路管部材４０ａの延在方向の遠位端側の一端部を覆うことで開口４２を閉鎖している。
【００２５】
また、図１及び図２に示すように、メスコネクタ２ａは、ハウジング６０ａと、弾性弁体７０と、を備えている。ハウジング６０ａは中空部としてオスコネクタ挿入部６１及び流路６６を区画しており、弾性弁体７０は、ハウジング６０ａの近位端に位置し、天面がオスコネクタ挿入部６１に面し、底面がメスコネクタ２ａの外部に面している。
【００２６】
以下、オスコネクタ１ａ及びメスコネクタ２ａそれぞれの構成について詳細に説明する。説明の便宜上、オスコネクタ１ａのハウジング１０ａを「第１ハウジング１０ａ」、メスコネクタ２ａのハウジング６０ａを「第２ハウジング６０ａ」と記載する。また、説明の便宜上、オスコネクタ１ａの流路４１を「第１流路４１」、メスコネクタ２ａの流路６６を「第２流路６６」と記載する。
【００２７】
＜オスコネクタ１ａ＞
第１ハウジング１０ａは、ハウジング本体２０ａと、ハウジング本体２０ａに対して移動可能な移動体３０ａとを備えている。第１ハウジング１０ａの中空部１１は、ハウジング本体２０ａが区画する中空部２９及び移動体３０ａが区画する中空部３９により構成されている。
【００２８】
ハウジング本体２０ａは、近位端側の一端が第１ハウジング１０ａの近位端１８を構成し、近位端側から遠位端側に延在する筒状部材である。ハウジング本体２０ａの内周壁２１には、第１雌ねじ部２３が形成されている。また、ハウジング本体２０ａの内周壁２１には、内部に突出した爪状の凸部２２が設けられている。凸部２２の遠位端側の端面は、径方向内側ほど近位端側に向かうように傾斜している。一方、凸部２２の近位端側の端面は、径方向と略平行になっている。
【００２９】
移動体３０ａは、近位端側から遠位端側に延在する筒状部材であり、近位端側に近位端側筒部３２、遠位端側に遠位端側筒部３３をそれぞれ備えている。遠位端側筒部３３の遠位端側の一端は、第１ハウジング１０ａの遠位端１９を構成している。近位端側筒部３２の外周壁（近位端側外周壁）３４には、第１雄ねじ部３５が形成されている。この第１雄ねじ部３５がハウジング本体２０ａの内周壁２１に形成された第１雌ねじ部２３と螺合することにより、移動体３０ａは、ハウジング本体２０ａに対して近位端側及び遠位端側に移動可能である。本例では、移動体３０ａがハウジング本体２０ａに対して右回りに相対的に回転することで、第１雄ねじ部３５と第１雌ねじ部２３との螺合によって移動体３０ａが近位端側に移動し、相対的に左回りに回転することで遠位端側に移動する。また、遠位端側筒部３３の内周壁（遠位端側内周壁）３６には、後述するメスコネクタ２ａに形成された第２雄ねじ部６５ａと螺合可能な第２雌ねじ部３７ａが形成されている。
【００３０】
移動体３０ａは、近位端側筒部３２と遠位端側筒部３３との間の外周壁に、凹部３１が設けられている。この凹部３１に、ハウジング本体２０ａの内周壁２１に設けられた第２係止部としての凸部２２が嵌合して係止することで、図２に示すように、移動体３０ａは、流路管部材４０ａが弁体５０ａを貫通せずに、流路管部材４０ａの開口４２が弁体５０ａに閉鎖される形態（以下、適宜「第１形態」と記載する）を維持するように移動が規制される。以下、第１形態を維持するように移動体３０ａの移動を規制するときの凸部２２の位置、すなわち凹部３１に嵌合して係止した凸部２２の位置を規制位置と記載する。本例では、図２のＡ−Ａ線に沿う断面図として図３に示すように、ハウジング本体２０ａの内周壁２１の周方向に沿って略等間隔に設けられた４つの凸部２２が、移動体３０ａの外周壁の周方向全周に亘って連続的に設けられた凹部３１としての環状の溝に嵌合している。
【００３１】
また、移動体３０ａは、弁体５０ａの遠位端側の端部を内部に保持する筒状の弁体保持部３８を備えている。弁体保持部３８は、遠位端側筒部３３の内側に設けられている。更に、近位端側筒部３２の内壁には、近位端側に面する段差面３２’が形成されている。弁体５０ａは、移動体３０ａがハウジング本体２０ａに対して近位端側に移動する際に、移動体３０ａの段差面３２’に押圧されることにより、近位端側に圧縮変形する。
【００３２】
第１ハウジング１０ａを形成するハウジング本体２０ａ及び移動体３０ａの材料としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などの各種樹脂材料が挙げられる。また、これらのうちの１種以上を含むブレンド体やポリマーアロイなどでもよい。その他に、各種ガラス材、セラミックス材料、金属材料であってもよい。
【００３３】
流路管部材４０ａは、内部に第１流路４１を区画し、第１流路４１は開口４２を通じて外部と連通している。流路管部材４０ａは、第１ハウジング１０ａの近位端１８でハウジング本体２０ａと連結し、ハウジング本体２０ａの中空部２９の近位端側を封止している。流路管部材４０ａは、近位端側の端部に、医療用チューブ等の医療器具と接続可能な医療器具接続部４３を備えている。また、流路管部材４０ａは、第１ハウジング１０ａの中空部１１内に延在し、遠位端部に開口４２が形成されている流路管本体４６を備えている。第１流路４１は医療器具接続部４３の近位端から流路管本体４６の遠位端部の開口４２まで連通している。また、流路管部材４０ａは、遠位端側の端部に、流路管部材４０ａの延在方向の遠位端側に向かって縮径する先端部４４を備えている。本実施形態では、先端部４４は縮径率の異なる２つのテーパー部分からなる形状であるが、半紡錘形状や円錐形状であってもよい。
【００３４】
流路管部材４０ａは、上述した第１ハウジング１０ａと同様の材料により形成することが可能である。
【００３５】
弁体５０ａは、第１ハウジング１０ａ内で、流路管本体４６を覆っている。具体的に、本実施形態の弁体５０ａは、遠位端側及び近位端側に弾性変形可能な蛇腹筒部５６と、この蛇腹筒部５６の中空部の遠位端側を閉鎖するように蛇腹筒部５６に連続し、移動体３０ａの弁体保持部３８に保持される先端部５７と、を有している。蛇腹筒部５６の近位端側の端部は流路管部材４０ａと当接している。先端部５７は、移動体３０ａの弁体保持部３８に保持されている。具体的に、弁体５０ａの蛇腹筒部５６と先端部５７との間には径方向外側に突出する環状フランジ部５８が形成されており、この環状フランジ部５８が上述した移動体３０ａの段差面３２’に突き当たることにより、先端部５７が、弁体保持部３８の遠位端から突出することなく、弁体保持部３８内に収容された状態を維持することができる。また、先端部５７には、近位端側から遠位端側に貫通するスリット５１が形成され、遠位端側の端面である天面５２は、凸状の曲面を有し、弁体保持部３８から外部に露出している。本実施形態では、天面５２全体が凸状の曲面を形成しているが、スリット５１の周囲のみが凸状の曲面であってもよい。天面５２は、凸状の曲面を有することにより、後述するメスコネクタ２ａの弾性弁体７０の天面７２と密着しやすくなり、接続されたメスコネクタ２ａが抜去される際に、薬液等の液体が外部に漏れ出すことをより確実に抑制することができる。また、図２に示す第１形態では、流路管部材４０ａの開口４２を含む遠位端側の端部は弁体５０ａに覆われており、開口４２は閉鎖されている。弁体５０ａは、硬度がショアＡ硬度１０以上７０以下であることが好ましく、ショアＡ硬度２０以上５０以下であることがより好ましい。硬度がショアＡ硬度１０より小さいと、第１流路４１内の圧力が高まったときに、薬液等の流体が外部に漏れ出すおそれがある。硬度がショアＡ硬度７０より大きいと、弁体５０ａと接続されたメスコネクタ２ａの弾性弁体７０との当接が不十分になり、接続されたメスコネクタ２ａが抜去される際に、薬液等の流体が外部に漏れ出すおそれがある。また、弁体５０ａは、硬度がショアＡ硬度２０以上５０以下であれば、メスコネクタ２ａとの好適な密着性を確保することができ、接続されたメスコネクタ２ａが抜去される際に、薬液等の流体が外部に漏れ出すことをより確実に抑制することができる。
【００３６】
弁体５０ａは、金型成形され、弾性変形可能に形成される。この弁体５０ａの材料としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマが挙げられ、これらのうちの１種または２種以上を混合したものであってもよい。弁体５０ａを、別々の材料により形成することも、同一の材料により形成することも可能である。
【００３７】
＜メスコネクタ２ａ＞
第２ハウジング６０ａは、オスコネクタ１ａが外方から挿入されるオスコネクタ挿入部６１を区画するキャップ６２と、このキャップ６２を支持し、第２流路６６を区画するホルダ６３とを備えている。オスコネクタ挿入部６１は、キャップ６２及びホルダ６３により区画された中空部であり、第２流路６６は、ホルダ６３により区画された中空部であり、オスコネクタ挿入部６１は第２流路６６より近位端側に区画されている。第２ハウジング６０ａが区画する中空部は、オスコネクタ挿入部６１と第２流路６６とで構成されている。
【００３８】
キャップ６２の外周壁６４には、移動体３０ａの遠位端内周壁３６に形成された第２雌ねじ部３７ａと螺合可能な第２雄ねじ部６５ａが形成されている。本例では、メスコネクタ２ａが移動体３０ａに対して相対的に右回りに回転することで、第２雄ねじ部６５ａと第２雌ねじ部３７ａとの螺合によって、メスコネクタ２ａが近位端側に移動し、相対的に左回りに回転することで遠位端側に移動する。すなわち、移動体３０ａがハウジング本体２０ａに対して所定の向き（右回り又は左回り）に回転することで第１雄ねじ部３５と第１雌ねじ部２３との螺合によって移動体３０ａが移動する方向と、メスコネクタ２ａが移動体３０ａに対して当該所定の向きに回転することで第２雄ねじ部６５ａと第２雌ねじ部３７ａとの螺合によってメスコネクタ２ａが移動する方向とは、同一である。第２ハウジング６０ａは、上述したオスコネクタ１ａの第１ハウジング１０ａと同様の材料により形成することが可能である。
【００３９】
弾性弁体７０には、近位端側から遠位端側に貫通するスリット７１が形成されている。弾性弁体７０の底面７２は、近位端側から外部に露出している。弾性弁体７０は、上述したオスコネクタ１ａの弁体５０ａと同様の材料により形成することが可能である。弾性弁体７０は、硬度がショアＡ硬度２０以上６０以下であることが好ましい。また、弾性弁体７０は、硬度がオスコネクタ１ａの弁体５０ａの硬度より大きいことが好ましい。弾性弁体７０の硬度を弁体５０ａの硬度より大きくすることで、第２流路６６内の圧力が高まったときに、薬液等の流体が外部に漏れ出すことを抑えつつ、オスコネクタ１ａとメスコネクタ２ａとを接続した際の弾性弁体７０の変形量を抑え易くなる。弾性弁体７０の変形量が大きいと、メスコネクタ２ａからオスコネクタ１ａを抜去した際に、第２流路６６内に負圧が発生し、第２流路６６と連通している患者の血管から血液を吸引するおそれがある。
【００４０】
以下、図２、図４及び図５を参照しながら、オスコネクタ１ａとメスコネクタ２ａとを接続する手順について説明する。図４は、オスコネクタ１ａ及びメスコネクタ２ａの第１接続状態を示す断面図であり、図５は、オスコネクタ１ａ及びメスコネクタ２ａの第２接続状態を示す断面図である。図２、図４及び図５中の白抜き矢印は、メスコネクタ２ａをオスコネクタ１ａに接続させる際に、メスコネクタ２ａをオスコネクタ１ａに対して相対的に回転させる向きを示している。第１接続状態及び第２接続状態の詳細については後述する。
【００４１】
図２に示すように、ハウジング本体２０ａの第２係止部としての凸部２２が移動体３０ａの凹部３１に嵌合して係止した状態、すなわち規制位置にある状態で、第１形態が維持されたオスコネクタ１ａに対して、オスコネクタ１ａの遠位端側にメスコネクタ２ａの近位端側を接近させながら、メスコネクタ２ａをオスコネクタ１ａに対して相対的に右回りに回転させる。すると、メスコネクタ２ａの第２雄ねじ部６５ａとオスコネクタ１ａの第２雌ねじ部３７ａとの螺合によってメスコネクタ２ａがオスコネクタ１ａに対して相対的に近位端側に移動し、図４に示すように、メスコネクタ２ａの弾性弁体７０の底面７２とオスコネクタ１ａの弁体５０ａの天面５２とが当接して当接領域７３を形成する。当接領域７３は、弾性弁体７０の底面７２と弁体５０ａの天面５２との全面が当接して形成する必要はなく、両者の流路管部材４０ａが通過する部分が少なくとも当接していればよい。本実施形態では、弾性弁体７０のスリット７１の周辺と、弁体５０ａのスリット５１の周辺と、が少なくとも当接して当接領域７３を形成していればよい。このとき、メスコネクタ２ａの第２雄ねじ部６５ａとオスコネクタ１ａの第２雌ねじ部３７ａとが螺合することで、メスコネクタ２ａがオスコネクタ１ａに対して係止する。換言すると、オスコネクタ１ａの第２雌ねじ部３７ａは、第２雄ねじ部６５ａとの螺合によってメスコネクタ２ａを係止する第１係止部を構成する。このとき、第２係止部としての凸部２２は、規制位置で凹部３１との嵌合状態（係止状態）を維持している。以下、図４に示すようなオスコネクタ１ａ及びメスコネクタ２ａの接続状態を、「第１接続状態」と記載する。本例では、第１接続状態においては、移動体３０ａの遠位端１９がメスコネクタ２ａのキャップ６２に当接した状態となっている。第１接続状態において、移動体３０ａの遠位端１９がメスコネクタ２ａのキャップ６２に当接する代わりに、弁体保持部３８の遠位端がメスコネクタ２ａのキャップ６２に当接した状態となっていてもよい。
【００４２】
図４に示す第１接続状態において、メスコネクタ２ａをオスコネクタ１ａに対して更に相対的に右回りに回転させる。すると、移動体３０ａの遠位端１９がメスコネクタ２ａのキャップ６２に当接した状態となっているため、移動体３０ａが、メスコネクタ２ａと一体的にハウジング本体２０ａに対して相対的に右回りに回転しようとする。そのため、凸部２２と凹部３１との嵌合状態が解除される。換言すると、第２係止部としての凸部２２は、第１係止部としての第２雌ねじ部３７ａが当接領域７３を維持してメスコネクタ２ａを係止している状態のまま、移動体３０ａを係止して移動を規制する規制位置から移動体３０ａの係止を解除して移動を許容する許容位置へと変位する。より詳細には、凸部２２は、上述したように、遠位端側の端面が径方向内側ほど近位端側に向かうように傾斜しているため、近位端側に進行しようとする移動体３０ａによって径方向外側に押し出されることで、許容位置へと変位することになる。
【００４３】
凸部２２が許容位置に変位した後、メスコネクタ２ａをオスコネクタ１ａに対して更に相対的に右回りに回転させると、移動体３０ａは、第１雄ねじ部３５と第１雌ねじ部２３との螺合状態を変化させることにより、メスコネクタ２ａと一体的にハウジング本体２０ａに対して相対的に近位端側に移動する。これにより、移動体３０ａは、第２雌ねじ部３７ａによりメスコネクタ２ａを係止している状態のまま、流路管部材４０ａが弁体５０ａを貫通せず開口４２が弁体５０ａに閉鎖される第１形態から、流路管部材４０ａが弁体５０ａを貫通して開口４２が弁体５０ａから開放される形態（以下、適宜「第２形態」と記載する）に変化するように、弁体５０ａを変形又は移動させて、図５に示す状態となる。このとき、流路管部材４０ａは、当接領域７３を通じて弁体５０ａ及び弾性弁体７０を貫通するため、開口４２を通じて第１流路４１と第２流路６６とを連通させる。以下、図５に示すようなオスコネクタ１ａ及びメスコネクタ２ａの接続状態を、「第２接続状態」と記載する。
【００４４】
一方、図５に示す第２接続状態で、メスコネクタ２ａをオスコネクタ１ａに対して相対的に左回りに回転させると、移動体３０ａは、第１雄ねじ部３５が第１雌ねじ部２３との螺合状態を変化させることにより、第２雌ねじ部３７ａによりメスコネクタ２ａを係止している状態のままメスコネクタ２ａと一体的にハウジング本体２０ａに対して相対的に遠位端側に移動する。これにより、移動体３０ａは、第２形態から第１形態に変化するように、弁体５０ａを変形又は移動させる。また、第２形態から第１形態に変化するように移動体３０ａを移動させることにより、流路管部材４０ａは当接領域７３を通じて弾性弁体７０から抜去される。弁体５０ａは、第２形態では移動体３０ａの近位端側への移動によって圧縮されており、移動体３０ａを復元力により第１形態となるように付勢するため、第１形態から第２形態に変化させるよりも弱い力で第２形態から第１形態に変化させることができる。そして、移動体３０ａの凹部３１がハウジング本体２０ａの凸部２２の位置に到達すると、凸部２２が凹部３１に嵌合して規制位置に変位し、図４に示す第１接続状態となる。
【００４５】
図４に示す第１接続状態から、メスコネクタ２ａをオスコネクタ１ａに対してさらに相対的に左回りに回転させると、移動体３０ａは凸部２２を介してハウジング本体２０ａに移動が規制されているため、メスコネクタ２ａの第２雄ねじ部６５ａと移動体３０ａの第２雌ねじ部３７ａとの螺合によって、メスコネクタ２ａが移動体３０ａに対して相対的に遠位端側に移動する。より詳細には、凸部２２は、上述したように、近位端側の端面が径方向と略平行になっているため、遠位端側に進行しようとする移動体３０ａによっても径方向外側には押し出されず、規制位置に留まり続ける。このとき、メスコネクタ２ａの弾性弁体７０の底面７２とオスコネクタ１ａの弁体５０ａの天面５２との当接は解除される。すなわち、当接領域７３がなくなる。そして、メスコネクタ２ａの第２雄ねじ部６５ａと移動体３０ａの第２雌ねじ部３７ａとの螺合が解除され、メスコネクタ２ａを移動体３０ａに対して相対的に遠位端側に引き抜くことで、図２に示すような非接続状態となる。
【００４６】
このように、第２係止部としての凸部２２は、移動体３０ａの係止と係止解除とを切り替えることで、第１形態と第２形態との間で形態を変化させることができる。すなわち、凸部２２は規制位置と許容位置との間で変位可能な切り替え部を構成する。
【００４７】
以上のように、本実施形態に係るオスコネクタ１ａによると、オスコネクタ１ａの流路管部材４０ａがメスコネクタ２ａの弾性弁体７０に抜き差しされる際には、移動体３０ａの第２雌ねじ部３７ａと第２ハウジング６０ａの第２雄ねじ部６５ａとの螺合によって、メスコネクタ２ａが、オスコネクタ１ａの弁体５０ａとメスコネクタ２ａの弾性弁体７０とが当接して当接領域７３を形成した状態で、オスコネクタ１ａに係止される。流路管部材４０ａは、この当接領域７３を通じて弁体５０ａと弾性弁体７０とを貫通する。従って、オスコネクタ１ａの流路管部材４０ａがメスコネクタ２ａに対して抜き差しされる際には、オスコネクタ１ａの弁体５０ａとメスコネクタ２ａの弾性弁体７０とが当接しているため、オスコネクタ１ａの流路管部材４０ａの開口４２から流体が外部に漏れ出すことを抑制できる。
【００４８】
また、本実施形態に係るオスコネクタ１ａによると、メスコネクタ２ａを接続する際には、メスコネクタ２ａをオスコネクタ１ａに対して相対的に右回りに回転させ続けることで第１接続状態を経て第２接続状態とすることができ、メスコネクタ２ａを抜去する際には、メスコネクタ２ａをオスコネクタ１ａに対して相対的に左回りに回転させ続けることで第２接続状態から第１接続状態を経て抜去することができる。従って、オスコネクタ１ａにメスコネクタ２ａを接続する際にも抜去する際にも、メスコネクタ２ａをオスコネクタ１ａに対して所定の向き（本例では一回転方向）に回転させるという一動作のみでよいため、取り扱いが容易である。
【００４９】
図６は、本実施形態に係るオスコネクタ１ａの変形例に係るオスコネクタ１ａ’を示す断面図であり、図７は、図６のＢ−Ｂ線に沿う断面図である。図６及び図７に示すように、オスコネクタ１ａ’は、第１ハウジング１０ａ’と、流路管部材４０ａと、弁体５０ａと、を備えている。
【００５０】
第１ハウジング１０ａ’は、ハウジング本体２０ａ’と、ハウジング本体２０ａ’に対して移動可能な移動体３０ａ’とを備えている。ハウジング本体２０ａ’は、ハウジング本体２０ａの凸部２２に代えて、内周壁２１に凹部２２’を設け、その他の構成をハウジング本体２０ａと同一としている。移動体３０ａ’は、移動体３０ａの凹部３１に代えて、近位端側筒部３２と遠位端側筒部３３との間の外周壁に凸部３１’を設け、その他の構成を移動体３０ａと同一としている。
【００５１】
このような第１ハウジング１０ａ’によっても、第１ハウジング１０ａと同様に、図６に示すように、凸部３１’が凹部２２’に嵌合して係止する規制位置に配置されることで、第１形態を維持するように、移動体３０ａ’のハウジング本体２０ａ’に対する移動が規制される。また、第１ハウジング１０ａ’の移動体３０ａ’に設けられた凸部３１’は、第１ハウジング１０ａのハウジング本体２０ａに設けられた凸部２２と同様に、第１係止部としての第２雌ねじ部３７ａがメスコネクタ２ａを係止している状態のまま、第１形態に維持するように移動体３０ａ’のハウジング本体２０ａ’に対する移動を規制する規制位置と、第１形態から第２形態へ変化するように移動体３０ａ’のハウジング本体２０ａ’に対する移動を許容する許容位置と、の間で変位可能な切り替え部を構成する。
【００５２】
凸部３１’を規制位置から許容位置に変位させる際には、オスコネクタ１ａと同様に、メスコネクタ２ａをオスコネクタ１ａ’に対して相対的に右回りに回転させることで、凸部３１’と凹部２２’との嵌合状態が解除される構成としてもよいが、例えば図７の白抜き矢印で示すように、凸部３１’を外部から押圧することで許容位置に変位させ、凹部２２’との嵌合状態を解除する構成としてもよい。
【００５３】
図８は、本実施形態に係るオスコネクタ１ａのハウジング本体２０ａの他の変形例に係るハウジング本体２０ａ’’の一部を示す断面図である。図８に示すように、ハウジング本体２０ａ’’は、凸部２２に加えて、又は凸部２２に代えて、第１雌ねじ部２３の遠位端側の端部付近の溝内壁に、突起２４を有する構成としてもよい。かかる場合に、移動体３０ａ’’は、凹部３１に加えて、又は凹部３１に代えて、第１雌ねじ部２３の螺旋状の溝に沿って摺動して移動する突起部３１’’を有する。図８では、説明の便宜上、移動体３０ａ’’の突起部３１’’を二点鎖線により示している。ハウジング本体２０ａ’’の突起２４は、移動体３０ａ’’の突起部３１’’を第１雌ねじ部２３の溝の遠位端の端部との間で保持して、第１形態に維持するように移動体３０ａ’’の移動を規制する規制位置と、突起部３１’’を突起２４を越えて近位端側に移動させて第１形態から第２形態へ変化するように移動体３０ａ’’の移動を許容する許容位置と、の間で変位可能な切り替え部を構成する。
【００５４】
（第２実施形態）
図９は、第２実施形態に係るオスコネクタ１ｂ及びメスコネクタ２ｂを示す断面図である。図９に示すオスコネクタ１ｂ及びメスコネクタ２ｂは、相互に接続される前（非接続接続）の各々単体の状態を示している。
【００５５】
図９に示すように、オスコネクタ１ｂは、第１ハウジング１０ｂと、流路管部材４０ａと、弁体５０ａと、を備えている。第１ハウジング１０ｂは、ハウジング本体２０ｂと、ハウジング本体２０ｂに対して移動可能な移動体３０ｂとを備えている。
【００５６】
ハウジング本体２０ｂは、第１雌ねじ部２３が形成されていないこと以外は、第１実施形態のハウジング本体２０ａと同一の構成を有する。移動体３０ｂは、第１雄ねじ部３５及び第２雌ねじ部３７ａが形成されず、かつ、凸部３７ｂが設けられている以外は、第１実施形態の移動体３０ａと同一の構成を有する。凸部３７ｂは、移動体３０ｂの遠位端側筒部３３の遠位端に設けられた、内部に突出した爪状の突起である。
【００５７】
図９に示すように、メスコネクタ２ｂは、第２ハウジング６０ｂと、弾性弁体７０と、を備えている。第２ハウジング６０ｂは、第２雄ねじ部６５ａが形成されず、かつ、凹部６５ｂが設けられている以外は、第１実施形態の第２ハウジング６０ａと同一の構成を有する。凹部６５ｂは、オスコネクタ１ｂの移動体３０ｂに設けられた凸部３７ｂが嵌合可能に形成されている。
【００５８】
以下、図９、図１０及び図１１を参照しながら、オスコネクタ１ｂとメスコネクタ２ｂとを接続する手順について説明する。図１０は、本実施形態に係るオスコネクタ１ｂ及びメスコネクタ２ｂの第１接続状態を示す断面図であり、図１１は、本実施形態に係るオスコネクタ１ｂ及びメスコネクタ２ｂの第２接続状態を示す断面図である。図９、図１０及び図１１中の白抜き矢印は、メスコネクタ２ｂをオスコネクタ１ｂに接続させる際に、メスコネクタ２ｂをオスコネクタ１ｂに対して相対的に移動させる方向を示している。本実施形態の第１接続状態及び第２接続状態は、第１実施形態の各接続状態と同様の接続状態を意味する。
【００５９】
図９に示すように、ハウジング本体２０ｂの凸部２２が移動体３０ｂの凹部３１に嵌合して係止した状態、すなわち規制位置にある状態で、第１形態が維持されたオスコネクタ１ｂに対して、オスコネクタ１ｂの遠位端側にメスコネクタ２ｂの近位端側を接近させて、メスコネクタ２ｂのキャップ６２を移動体３０ｂの遠位端側筒部３３に押し込む。すると、メスコネクタ２ｂのキャップ６２に押されることで移動体３０ｂの遠位端側筒部３３に設けられた凸部３７ｂが拡径方向に変位し、キャップ６２が遠位端側筒部３３の中空部３９に挿入されて近位端側に移動する。そして、図１０に示すように、メスコネクタ２ｂの弾性弁体７０の底面７２とオスコネクタ１ｂの弁体５０ａの天面５２とが当接して当接領域７３を形成しつつ、凸部３７ｂが凹部６５ｂに嵌合し、メスコネクタ２ｂがオスコネクタ１ｂに対して係止する。換言すると、オスコネクタ１ｂの凸部３７ｂは、凹部６５ｂとの嵌合によってメスコネクタ２ｂを係止する第１係止部を構成する。このとき、第２係止部としての凸部２２は、規制位置で凹部３１との嵌合状態（係止状態）を維持している。
【００６０】
図１０に示す第１接続状態において、メスコネクタ２ｂをオスコネクタ１ｂに対して更に押しこむ。すると、移動体３０ｂが、メスコネクタ２ｂと一体的にハウジング本体２０ｂに対して近位端側に移動しようとするため、凸部２２と凹部３１との嵌合状態が解除される。換言すると、第２係止部としての凸部２２は、第１係止部としての凸部３７ｂがメスコネクタ２ｂを係止している状態のまま、移動体３０ｂを係止して移動を規制する規制位置から移動体３０ｂの係止を解除して移動を許容する許容位置へと変位する。具体的に、本実施形態の第２係止部としての凸部２２は、径方向外側に移動することで、規制位置から許容位置へと変位し、径方向内側に移動することで、許容位置から規制位置へと変位する。
【００６１】
凸部２２が許容位置に変位した後、メスコネクタ２ｂをオスコネクタ１ｂに対して更に押し込むと、移動体３０ｂは、ハウジング本体２０ｂの内周壁２１に沿って、メスコネクタ２ｂと一体的にハウジング本体２０ｂに対して相対的に近位端側に移動する。これにより、移動体３０ｂは、凸部３７ｂによりメスコネクタ２ｂを係止している状態のまま、流路管部材４０ａが弁体５０ａを貫通せず開口４２が弁体５０ａに閉鎖される第１形態から、流路管部材４０ａが弁体５０ａを貫通して開口４２が弁体５０ａから開放される第２形態に変化するように、弁体５０ａを変形又は移動させて、図１１に示す状態となる。このとき、流路管部材４０ａは、当接領域７３を通じて弁体５０ａ及び弾性弁体７０を貫通するため、開口４２を通じて第１流路４１と第２流路６６とを連通させる。
【００６２】
一方、図１１に示す第２接続状態で、メスコネクタ２ｂをオスコネクタ１ｂに対して遠位端側に引っ張ると、移動体３０ｂは、ハウジング本体２０ｂの内周壁２１に沿って、凸部３７ｂによりメスコネクタ２ｂを係止している状態のままメスコネクタ２ｂと一体的にハウジング本体２０ｂに対して相対的に遠位端側に移動する。これにより、移動体３０ｂは、第２形態から第１形態に変化するように、弁体５０ａを変形又は移動させる。弁体５０ａは、第２形態では移動体３０ｂの近位端側への移動によって圧縮されており、移動体３０ｂを復元力により第１形態となるように付勢するため、第１形態から第２形態に変化させるよりも弱い力で第２形態から第１形態に変化させることができる。そして、移動体３０ｂの凹部３１がハウジング本体２０ｂの凸部２２の位置に到達すると、凸部２２が凹部３１に嵌合するように規制位置に変位し、図１０に示す第１接続状態となる。
【００６３】
図１０に示す第１接続状態から、メスコネクタ２ｂをオスコネクタ１ｂに対してさらに遠位端側に引っ張ると、移動体３０ｂは凸部２２を介してハウジング本体２０ｂに移動が規制されているため、メスコネクタ２ｂの凹部６５ｂと移動体３０ｂの凸部３７ｂとの嵌合状態が解除され、メスコネクタ２ｂがオスコネクタ１ｂに対して相対的に遠位端側に移動する。このとき、メスコネクタ２ｂの弾性弁体７０の底面７２とオスコネクタ１ｂの弁体５０ａの天面５２との当接は解除される。そして、メスコネクタ２ｂを遠位端側に引き抜くことで、図９に示すような非接続状態となる。
【００６４】
このように、第２係止部としての凸部２２は、移動体３０ｂの係止と係止解除とを切り替えることで、第１形態と第２形態との間で形態を変化させることができる。すなわち、凸部２２は規制位置と許容位置との間で変位可能な切り替え部を構成する。
【００６５】
以上のように、本実施形態に係るオスコネクタ１ｂによると、オスコネクタ１ｂの流路管部材４０ａがメスコネクタ２ｂの弾性弁体７０に抜き差しされる際には、移動体３０ｂの凸部３７ｂと第２ハウジング６０ｂの凹部６５ｂとの嵌合によって、メスコネクタ２ｂが、オスコネクタ１ｂの弁体５０ａとメスコネクタ２ｂの弾性弁体７０とが当接して当接領域７３を形成した状態で、オスコネクタ１ｂに係止される流路管部材４０ａは、この当接領域７３を通じて弁体５０ａと弾性弁体７０とを貫通する。従って、オスコネクタ１ｂの流路管部材４０ａがメスコネクタ２ｂに対して抜き差しされる際には、オスコネクタ１ｂの弁体５０ａとメスコネクタ２ｂの弾性弁体７０とが当接しているため、オスコネクタ１ｂの流路管部材４０ａの開口４２から流体が外部に漏れ出すことを抑制できる。
【００６６】
また、本実施形態に係るオスコネクタ１ｂによると、メスコネクタ２ｂを接続する際には、メスコネクタ２ｂをオスコネクタ１ｂに対して相対的に近位端側に押し込み続けることで第１接続状態を経て第２接続状態とすることができ、メスコネクタ２ｂを抜去する際には、メスコネクタ２ｂをオスコネクタ１ｂに対して相対的に遠位端側に引っ張り続けることで第２接続状態から第１接続状態を経て抜去することができる。従って、オスコネクタ１ｂにメスコネクタ２ｂを接続する際にも抜去する際にも、メスコネクタ２ｂをオスコネクタ１ｂに対して移動させたい方向（本例では一直線方向）に付勢するという一動作のみでよいため、取り扱いが容易である。
【００６７】
（第３実施形態）
図１２は、第３実施形態に係るオスコネクタ１ｃ及びメスコネクタ２ａを示す断面図である。図１２に示すオスコネクタ１ｃ及びメスコネクタ２ａは、相互に接続される前（非接続接続）の各々単体の状態を示している。
【００６８】
図１２に示すように、オスコネクタ１ｃは、第１ハウジング１０ｃと、流路管部材４０ｃと、弁体５０ｃと、を備えている。第１ハウジング１０ｃは、ハウジング本体２０ｃと、ハウジング本体２０ｃに対して移動可能な移動体３０ｃとを備えている。
【００６９】
ハウジング本体２０ｃは、第１雌ねじ部２３に代えて、第１雌ねじ部２３とは逆ねじの関係にある第１雌ねじ部２３’を備えること以外は、第１実施形態のハウジング本体２０ａと同一の構成を有する。移動体３０ｃは、第１雄ねじ部３５に代えて、第１雄ねじ部３５とは逆ねじの関係にある第１雄ねじ部３５’を備え、かつ、遠位端側筒部３３及び弁体保持部３８に代えて、遠位端側により長い遠位端側筒部３３’及び弁体保持部３８’を備えること以外は、第１実施形態の移動体３０ａと同一の構成を有する。
【００７０】
流路管部材４０ｃは、遠位端側により長いこと以外は、第１実施形態の流路管部材４０ａと同一の構成を有する。弁体５０ｃは、遠位端側により長いこと以外は、第１実施形態の弁体５０ａと同一の構成を有する。
【００７１】
以下、図１２、図１３及び図１４を参照しながら、オスコネクタ１ｃとメスコネクタ２ａとを接続する手順について説明する。図１３は、本実施形態に係るオスコネクタ１ｃ及びメスコネクタ２ａの第１接続状態を示す断面図であり、図１４は、本実施形態に係るオスコネクタ１ｃ及びメスコネクタ２ａの第１接続状態を示す断面図である。図１２、図１３及び図１４中の白抜き矢印は、メスコネクタ２ａをオスコネクタ１ｃに接続させる際に、メスコネクタ２ａをオスコネクタ１ｃに対して相対的に回転させる向きを示している。本実施形態の第１接続状態及び第２接続状態は、第１実施形態の各接続状態と同様の接続状態を意味する。
【００７２】
図１２に示すように、ハウジング本体２０ｃの凸部２２が移動体３０ｃの凹部３１に嵌合して係止した状態、すなわち規制位置にある状態で、第１形態が維持されたオスコネクタ１ｃに対して、オスコネクタ１ｃの遠位端側にメスコネクタ２ａの近位端側を接近させながら、メスコネクタ２ａをオスコネクタ１ｃに対して相対的に右回りに回転させる。すると、メスコネクタ２ａの第２雄ねじ部６５ａとオスコネクタ１ｃの第２雌ねじ部３７ａとの螺合によってメスコネクタ２ａがオスコネクタ１ｃに対して相対的に近位端側に移動し、図１３に示すように、メスコネクタ２ａの弾性弁体７０の底面７２とオスコネクタ１ｃの弁体５０ａの天面５２とが当接して当接領域７３を形成する。このとき、メスコネクタ２ａの第２雄ねじ部６５ａとオスコネクタ１ｃの第２雌ねじ部３７ａとが螺合することで、メスコネクタ２ａがオスコネクタ１ｃに対して係止する。換言すると、オスコネクタ１ｃの第２雌ねじ部３７ａは、第２雄ねじ部６５ａとの螺合によって当接領域７３を維持したままメスコネクタ２ａを係止する第１係止部を構成する。このとき、第２係止部としての凸部２２は、規制位置で凹部３１との嵌合状態（係止状態）を維持している。
【００７３】
図１３に示す第１接続状態において、例えば移動体３０ｃを把持して、移動体３０ｃをハウジング本体２０ｃに対して相対的に左回りに回転させる。すると、移動体３０ｃが、メスコネクタ２ａと一体的にハウジング本体２０ｃに対して相対的に左回りに回転しようとするため、凸部２２と凹部３１との嵌合状態が解除される。換言すると、第２係止部としての凸部２２は、第１係止部としての第２雌ねじ部３７ａがメスコネクタ２ａを係止している状態のまま、移動体３０ｃを係止して移動を規制する規制位置から移動体３０ｃの係止を解除して移動を許容する許容位置へと変位する。
【００７４】
凸部２２が許容位置に変位した後、移動体３０ｃをハウジング本体２０ｃに対して更に相対的に左回りに回転させると、移動体３０ｃは、第１雄ねじ部３５’と第１雌ねじ部２３’との螺合状態を変化させることにより、メスコネクタ２ａと一体的にハウジング本体２０ｃに対して相対的に近位端側に移動する。これにより、移動体３０ｃは、第２雌ねじ部３７ａによりメスコネクタ２ａを係止している状態のまま、流路管部材４０ｃが弁体５０ｃを貫通せず開口４２が弁体５０ｃに閉鎖される第１形態から、流路管部材４０ｃが弁体５０ｃを貫通して開口４２が弁体５０ｃから開放される形態（以下、適宜「第２形態」と記載する）に変化するように、弁体５０ｃを変形又は移動させて、図１４に示す状態となる。このとき、流路管部材４０ｃは、当接領域７３を通じて弁体５０ｃ及び弾性弁体７０を貫通するため、開口４２を通じて第１流路４１と第２流路６６とを連通させる。
【００７５】
一方、図１４に示す第２接続状態で、移動体３０ｃをハウジング本体２０ｃに対して相対的に右回りに回転させると、移動体３０ｃは、第１雄ねじ部３５’が第１雌ねじ部２３’との螺合状態を変化させることにより、第２雌ねじ部３７ａによりメスコネクタ２ａを係止している状態のままメスコネクタ２ａと一体的にハウジング本体２０ｃに対して相対的に遠位端側に移動する。これにより、移動体３０ｃは、第２形態から第１形態に変化するように、弁体５０ｃを変形又は移動させる。弁体５０ｃは、第２形態では移動体３０ｃの近位端側への移動によって圧縮されており、移動体３０ｃを復元力により第１形態となるように付勢するため、第１形態から第２形態に変化させるよりも弱い力で第２形態から第１形態に変化させることができる。そして、移動体３０ｃの凹部３１がハウジング本体２０ｃの凸部２２の位置に到達すると、凸部２２が凹部３１に嵌合して規制位置に変位し、図１３に示す第１接続状態となる。
【００７６】
図１３に示す第１接続状態から、メスコネクタ２ａをオスコネクタ１ｃに対して相対的に左回りに回転させると、移動体３０ｃは凸部２２を介してハウジング本体２０ｃに移動が規制されているため、メスコネクタ２ａの第２雄ねじ部６５ａと移動体３０ｃの第２雌ねじ部３７ａとの螺合によって、メスコネクタ２ａがオスコネクタ１ｃに対して相対的に遠位端側に移動する。このとき、メスコネクタ２ａの弾性弁体７０の底面７２とオスコネクタ１ｃの弁体５０ｃの天面５２との当接は解除される。そして、メスコネクタ２ａの第２雄ねじ部６５ａと移動体３０ｃの第２雌ねじ部３７ａとの螺合が解除され、メスコネクタ２ａを遠位端側に引き抜くことで、図１２に示すような非接続状態となる。
【００７７】
このように、第２係止部としての凸部２２は、移動体３０ｃの係止と係止解除とを切り替えることで、第１形態と第２形態との間で形態を変化させることができる。すなわち、凸部２２は規制位置と許容位置との間で変位可能な切り替え部を構成する。
【００７８】
以上のように、本実施形態に係るオスコネクタ１ｃによると、オスコネクタ１ｃの流路管部材４０ｃがメスコネクタ２ａの弾性弁体７０に抜き差しされる際には、移動体３０ｃの第２雌ねじ部３７ａと第２ハウジング６０ａの第２雄ねじ部６５ａとの螺合によって、メスコネクタ２ａが、オスコネクタ１ｃの弁体５０ｃとメスコネクタ２ａの弾性弁体７０とが当接して当接領域７３を形成した状態で、オスコネクタ１ｃに係止される。流路管部材４０ｃは、この当接領域７３を通じて弁体５０ｃと弾性弁体７０とを貫通する。従って、オスコネクタ１ｃの流路管部材４０ｃがメスコネクタ２ａに対して抜き差しされる際には、オスコネクタ１ｃの弁体５０ｃとメスコネクタ２ａの弾性弁体７０とが当接しているため、オスコネクタ１ｃの流路管部材４０ｃの開口４２から流体が外部に漏れ出すことを抑制できる。
【００７９】
（第４実施形態）
最後に、上述したオスコネクタ１ａ、１ａ’、１ｂ又は１ｃ（以下、総称して「オスコネクタ１」と記載する）を備える医療器具としての輸液チューブセット１００について説明する。図１５は、第４実施形態としての、オスコネクタ１を備える輸液チューブセット１００を、上述したメスコネクタ２ａ又は２ｂ（以下、総称して「メスコネクタ２」と記載する）を備える別の輸液チューブセット１１０に接続する様子を示す図である。輸液チューブセット１００及び別の輸液チューブセット１１０は、生体に薬液等の輸液を投与するために用いられる。図１５に示すように、輸液チューブセット１００は、薬液容器２００と接続される接続器具１０２と、この接続器具１０２よりも下流側（遠位端側）に位置するオスコネクタ１と、接続器具１０２とオスコネクタ１とを繋ぐ医療用チューブ１０３と、を備えている。また、医療用チューブ１０３の途中には、その部分を閉塞するクランプ１０４が装着されていてもよい。このクランプ１０４は、医療用チューブ１０３を外側から挟持するように押圧して、医療用チューブ１０３内を圧閉するよう構成される。
【００８０】
このような構成の輸液チューブセット１００では、クランプ１０４を取り外した状態で、薬液容器２００内の薬液等の液体が接続器具１０２から医療用チューブ１０３を通じてオスコネクタ１に流入する。そして、オスコネクタ１が、例えば、混注ポートとして上述したメスコネクタ２を備える別の輸液チューブセット１１０に、メスコネクタ２を介して接続されている場合には、オスコネクタ１に流入した液体は、オスコネクタ１及びメスコネクタ２内を通過し、別の輸液チューブセット１１０へと流入し、生体まで供給される。
【００８１】
接続器具１０２は、近位端部に位置し、薬液容器２００に接続される第１接続部１０５と、遠位端部に位置し、医療用チューブ１０３に接続される第２接続部１０６と、外壁から側方に向かって突出して設けられ、シリンジが接続される第３接続部１０７と、を備えている。接続器具１０２内には、第１接続部１０５から第２接続部１０６まで連通し、薬液容器２００内の液体を医療用チューブ１０３へと輸送可能なメイン流路と、第１接続部１０５と第３接続部１０７との間で連通し、薬液容器２００と第３接続部１０７に接続されるシリンジとの間で液体の輸送が可能なサブ流路と、が区画されている。
【００８２】
したがって、例えば抗癌剤を含む薬液が内部に収容されたシリンジを、接続器具１０２の第３接続部１０７と接続することにより、シリンジ内の薬液を接続器具１０２のサブ流路を介して薬液容器２００へと輸送することができる。そして、薬液容器２００内に収容された抗癌剤を含む薬液は、接続器具１０２のメイン流路及び医療用チューブ１０３内を通じて、オスコネクタ１まで供給される。
【００８３】
上述したように、オスコネクタ１の遠位端側にメスコネクタ２を接続し、抗癌剤を含む薬液を別の輸液チューブセット１１０内へ供給することにより、抗癌剤を含む薬液を生体へと投与することができる。そして、薬液投与が完了し、オスコネクタ１とメスコネクタ２との接続を解除する際には、オスコネクタ１の弁体５０ａ又は５０ｃが閉鎖するため、オスコネクタ１の遠位端から抗癌剤を含む薬液が漏れ出ることが抑制される。
【００８４】
オスコネクタ１を備える医療器具として輸液チューブセット１００を例示したが、オスコネクタ１は、輸液チューブセットに限らず、他の医療器具に用いることも可能である。例えば、シリンジ本体の先端部にオスコネクタ１を備えるシリンジとしてもよい。かかる場合には、例えば、上述した接続器具１０２の第３接続部１０７をメスコネクタ２と同様の構成とし、オスコネクタ１を備えるシリンジを、第３接続部１０７に接続するようにすればよい。
【００８５】
本開示に係るオスコネクタ、オスコネクタを備える医療器具、及びオスコネクタとメスコネクタとの接続方法は、上述した実施形態の構成に限定されず、特許請求の範囲で記載された内容を逸脱しない範囲で、様々な構成により実現することが可能である。例えば、弁体５０ａ、５０ｃは、流路管部材４０ａ、４０ｃの遠位端側の一端を覆わなくてもよく、第１形態で流路管部材４０ａ、４０ｃの開口４２を閉鎖し、第２形態で流路管部材４０ａ、４０ｃの開口４２を開放する構成であればよい。
【００８６】
また、弁体５０ａ、５０ｃのスリット５１及び弾性弁体７０のスリット７１は、予め設けられている必要はなく、流路管部材４０ａ、４０ｃに穿刺されて連通可能な構成であればよい。
【００８７】
また、凸部２２の近位端側の端面は、径方向と略平行である必要はなく、遠位端側に進行しようとする移動体３０ａによっても径方向外側に押し出されず規制位置に留まり続ける構成であればよい。例えば、凸部２２の近位端側の端面は、径方向内側ほど近位端側に向かうように傾斜していてもよい。
【産業上の利用可能性】
【００８８】
本開示は、オスコネクタ、オスコネクタを備える医療器具、及びオスコネクタとメスコネクタとの接続方法に関する。
【符号の説明】
【００８９】
１，１ａ、１ａ’、１ｂ、１ｃ  オスコネクタ
２，２ａ、２ｂ  メスコネクタ
１０ａ、１０ａ’、１０ｂ、１０ｃ  第１ハウジング
１１  第１ハウジングの中空部
１８  第１ハウジングの近位端
１９  第１ハウジングの遠位端
２０ａ、２０ａ’、２０ａ’’、２０ｂ、２０ｃ  ハウジング本体
２１  内周壁
２２  凸部
２２’  凹部
２３、２３’  第１雌ねじ部
２４  突起
２９  中空部
３０ａ、３０ａ’、３０ａ’’、３０ｂ、３０ｃ  移動体
３１  凹部
３１’  凸部
３１’’  突起部
３２  近位端側筒部
３２’  段差面
３３、３３’  遠位端側筒部
３４  近位端側外周壁
３５、３５’  第１雄ねじ部
３６  遠位端側内周壁
３７ａ  第２雌ねじ部
３７ｂ  凸部
３８、３８’  弁体保持部
３９  中空部
４０ａ、４０ｃ  流路管部材
４１  第１流路
４２  開口
４３  医療器具接続部
４４  先端部
４６  流路管本体
５０ａ、５０ｃ  弁体
５１  弁体のスリット
５２  弁体の天面
５６  蛇腹筒部
５７  先端部
５８  環状フランジ部
６０ａ、６０ｂ  第２ハウジング
６１  オスコネクタ挿入部
６２  キャップ
６３  ホルダ
６４  キャップの外周壁
６５ａ  第２雄ねじ部
６５ｂ  凹部
６６  第２流路
７０  弾性弁体
７１  弾性弁体のスリット
７２  弾性弁体の底面
７３  当接領域
１００  輸液チューブセット（医療器具）
１０２  接続器具
１０３  医療用チューブ
１０４  クランプ
１０５  第１接続部
１０６  第２接続部
１０７  第３接続部
１１０  別の輸液チューブセット
２００  薬液容器
【図１】
2018056465.tif 000003
【図２】
2018056465.tif 000004
【図３】
2018056465.tif 000005
【図４】
2018056465.tif 000006
【図５】
2018056465.tif 000007
【図６】
2018056465.tif 000008
【図７】
2018056465.tif 000009
【図８】
2018056465.tif 000010
【図９】
2018056465.tif 000011
【図１０】
2018056465.tif 000012
【図１１】
2018056465.tif 000013
【図１２】
2018056465.tif 000014
【図１３】
2018056465.tif 000015
【図１４】
2018056465.tif 000016
【図１５】
2018056465.tif 000017
【国際調査報告】
2018056465.tif 000018
2018056465.tif 000019